(57)【特許請求の範囲】
【請求項１】
ケーブルを介して電源プラグが延設されたガス漏れ警報器を、取付板を介して被取付面に取付けるためのガス漏れ警報器の取付構造であって、
前記取付板は枠状であり、被取付面に形成された取付孔部に入り込み、被取付面内の配線と接続されるコンセントを引っ掛けて支持する引掛け片が設けられたコンセント支持部と、
ガス漏れ警報器の本体部を支持するために、弾性変形可能な係止部が設けられた警報器支持部とを備えていて、
前記コンセント支持部の前記引掛け片に引掛けられて前記コンセントが支持され、かつ前記警報器支持部にガス漏れ警報器の本体部が前記係止部を弾性変形させることによって支持された前記取付板が前記被取付面に取り付けられるとともに、前記ガス漏れ警報器から延設された電源プラグが前記コンセント支持部に支持されたコンセントに差し込まれることを特徴とするガス漏れ警報器の取付構造。
【請求項２】
前記被取付面の取付孔部にはスイッチボックスが埋設されていて、前記取付板は、前記スイッチボックスに固定されることを特徴とする請求項１に記載のガス漏れ警報器の取付構造。
【請求項３】
前記警報器支持部は、前記取付板における被取付面との接合面から突設されて、ガス漏れ警報器の本体部に設けられた被係止部を係止する係止部を備えていることを特徴とする請求項１又は２に記載のガス漏れ警報器の取付構造。
【請求項４】
前記警報器支持部は、弾性変形可能な樹脂材より成ることを特徴とする請求項３に記載のガス漏れ警報器の取付構造。
【請求項５】
ケーブルを介して電源プラグが延設されたガス漏れ警報器を被取付面に取付けるために、前記ガス漏れ警報器と前記被取付面との間に介装される枠状のガス漏れ警報器の取付板であって、
被取付面内配線と接続されるコンセントを引っ掛けて支持する引掛け片が設けられたコンセント支持部と、
ガス漏れ警報器の本体部を支持するために、弾性変形可能な係止部が設けられた警報器支持部と、
を備えていることを特徴とするガス漏れ警報器の取付板。
【発明の詳細な説明】
【技術分野】
【０００１】
本発明は、ガス漏れ警報器を被取付面に取付けるための取付構造、及びその取付板に関するものである。
【背景技術】
【０００２】
ガス漏れ警報器は、一般に壁等の被取付面に設置されているが、設置後一定期間（例えば５年）が経過すると動作保証対象外となり、新しいものと交換する必要がある。このため、ガス漏れ警報器は、その着脱が容易にできるものであることが望ましい。
【０００３】
ガス漏れ警報器について、各種の技術が出願されている。例えば、特許文献１に開示された技術は、壁内に埋設したコンセントにガス漏れ警報器の本体部を取付けるものである。しかし、通常のガス漏れ警報器の電源プラグは、ケーブルを介して延設されている。このため、特許文献１に開示された技術では、特殊形状のガス漏れ警報器を使用せざるを得なくなり、交換時に新たなガス漏れ警報器の選定が限られてしまう。
【０００４】
また、特許文献２に開示された技術では、取付板を利用して、ガス漏れ警報器の本体部を壁に取り付けている。この技術の場合、汎用のガス漏れ警報器を使用することができるが、取付板とは別の部分に設けられたコンセントに電源プラグが差し込まれるため、電源プラグのケーブルを引っ掛けるおそれがあると共に、美観も損なわれる。
【特許文献１】実用新案登録第２５４９０１３号公報
【特許文献２】特開平１０−１２４７７４号公報
【発明の開示】
【発明が解決しようとする課題】
【０００５】
本発明は、上記した不具合に鑑み、美観を損なうことなく、被取付面に対するガス漏れ警報器の着脱が容易にできるようにすることを課題としている。
【課題を解決するための手段及び発明の効果】
【０００６】
上記した課題を解決するための本発明は、ケーブルを介して電源プラグが延設されたガス漏れ警報器を、取付板を介して被取付面に取付けるためのガス漏れ警報器の取付構造であって、前記取付板は枠状であり、被取付面に形成された取付孔部に入り込み、被取付面内の配線と接続されるコンセントを引っ掛けて支持する引掛け片が設けられたコンセント支持部と、ガス漏れ警報器の本体部を支持するために、弾性変形可能な係止部が設けられた警報器支持部とを備えていて、前記コンセント支持部の前記引掛け片に引掛けられて前記コンセントが支持され、かつ前記警報器支持部にガス漏れ警報器の本体部が前記係止部を弾性変形させることによって支持された前記取付板が前記被取付面に取り付けられるとともに、前記ガス漏れ警報器から延設された電源プラグが前記コンセント支持部に支持されたコンセントに差し込まれることを特徴としている。
【０００７】
ガス漏れ警報器は、被取付面の取付孔部に取付けられた取付板を介して取付けられる。このとき、ガス漏れ警報器の本体部は、取付板の警報器支持部に支持されると共に、ガス漏れ警報器からケーブルを介して延設された電源プラグは、被取付面の取付孔部に配置され、取付板のコンセント支持部に支持されたコンセントに差し込まれる。即ち、ケーブル及び電源プラグは、双方とも取付孔部に配置され、外部に露出されることはない。これにより、ケーブルを引っ掛けるおそれがなくなると共に、取付状態におけるガス漏れ警報器の美観も良好になる。
【０００８】
請求項２の発明は、請求項１の発明を前提として、前記被取付面の取付孔部にはスイッチボックスが埋設されていて、前記取付板は、前記スイッチボックスに固定されることを特徴としている。
【０００９】
取付板は、取付孔部に埋設されたスイッチボックスに固定されるため、被取付面にねじ孔等を形成しなくても済む。これにより、ガス漏れ警報器の美観が更に良好になる。
【００１０】
請求項３の発明は、請求項１又は２の発明を前提として、前記警報器支持部は、前記取付板における被取付面との接合面から突設されて、ガス漏れ警報器の本体部に設けられた被係止部を係止する係止部を備えていることを特徴としている。
【００１１】
ガス漏れ警報器は、取付板から突設された警報器支持部が、ガス漏れ警報器の本体部に設けられた被係止部に係止されることによって取付板に保持される。このため、ガス漏れ警報器の取付け・取外しが容易である。
【００１２】
請求項４の発明は、請求項３の発明を前提として、前記警報器支持部は、弾性変形可能な樹脂材より成ることを特徴としている。
【００１３】
請求項４の発明では、警報器支持部が弾性変形可能な樹脂材であるため、ガス漏れ警報器の取付け・取外しが繰り返されても、前記警報器支持部が損傷するおそれはない。
【００１４】
請求項５の発明は、ケーブルを介して電源プラグが延設されたガス漏れ警報器を被取付面に取付けるために、前記ガス漏れ警報器と前記被取付面との間に介装される枠状のガス漏れ警報器の取付板であって、被取付面内配線と接続されるコンセントを引っ掛けて支持する引掛け片が設けられたコンセント支持部と、
ガス漏れ警報器の本体部を支持するために、弾性変形可能な係止部が設けられた警報器支持部とを備えていることを特徴としている。
【００１５】
請求項５の発明は、請求項１のガス漏れ警報器の取付構造の発明に使用される取付板であるため、請求項１の発明と同様な作用効果が奏される。
【発明を実施するための最良の形態】
【００１６】
本発明の実施例について説明する。図１は本実施例のガス漏れ警報器Ｇの取付構造を示す分解斜視図、図２は壁Ｗに取付けられたガス漏れ警報器Ｇの正面図、図３の（ａ）は図２のＡ−Ａ線断面図であり、（ｂ）はＢ部の拡大図、図４の（ａ）は本実施例の取付板Ｐの正面側から見た斜視図であり、（ｂ）は同じく背面側から見た斜視図、図５はコンセントＣが取付けられた取付板Ｐを、背面側の別方向から見た斜視図である。
【実施例１】
【００１７】
図１ないし図３に示されるように、本実施例のガス漏れ警報器Ｇは、壁Ｗに埋設されたスイッチボックスＳに、取付板Ｐを介して取付けられる。最初に、スイッチボックスＳについて説明する。図３に示されるように、壁Ｗの所定位置に形成された取付孔部１に、樹脂材より成るスイッチボックスＳが埋設されている。スイッチボックスＳは、正面部が開口した正方形状の箱体であり、その天井壁部２には、コンセントＣに接続される電線ケーブル３と、ガス漏れ警報器Ｇと接続される信号ケーブル４とを通すための各通し孔２ａが設けられている。また、スイッチボックスＳの内壁面部における上下の部分には、横方向（左右方向）に所定間隔をおいて、ねじ取付部５が２個ずつ設けられている。取付板Ｐの本体部（取付板本体部６）には、スイッチボックスＳの各ねじ取付部５に対応するねじ孔６ｂが設けられていて、各ねじ孔６ｂに挿通されたねじ７が対応するねじ取付部５に螺合される。これによって、取付板ＰがスイッチボックスＳに固定される。なお、図１に示されるように、スイッチボックスＳの縦方向を「上下方向」と、同じく横方向を「左右方向」と、同じく厚さ方向を「奥行方向」と記載する。
【００１８】
次に、ガス漏れ警報器Ｇについて、簡単に説明する。図１及び図３に示されるように、ガス漏れ警報器Ｇは、警報器本体部８と、警報器本体部８の背面から延設されたケーブル９と、ケーブル９の先端部に取付けられた電源プラグ１０とを備えている。警報器本体部８の天井壁部１１と底壁部（図示せず）には、左右方向に沿って各溝部１１ａが形成されている。
【００１９】
次に、取付板Ｐについて説明する。図１に示されるように、取付板Ｐは樹脂材より成り、ガス漏れ警報器Ｇの警報器本体部８を挿通させるために、警報器本体部８に対応する挿通孔６ａが形成された方形枠状の取付板本体部６と、挿通孔６ａの周縁部から奥行方向に沿って背面側に突設された周壁部１２とを備えている。図４の（ａ），（ｂ）に示されるように、周壁部１２における上下の部分には、一対の係止部１３が相対向して設けられている。一対の係止部１３の構成は向きが反対であることを除いて同一であるため、ここでは、上側の周壁部１２に設けられた係止部１３についてのみ説明する。図５に示されるように、周壁部１２は、２箇所において奥行方向に切り欠かれていて、当該部分に各切欠部１４が設けられており、それらの間に係止部１３が形成されている。係止部１３の基端部１３ａは周壁部１２と一体に接続されている（換言すれば、基端部１３ａは周壁部１２の一部である）ため、係止部１３は、基端部１３ａを支点として回動可能である。これにより、一対の係止部１３は弾性変形して拡開可能である。そして、各係止部１３における内壁面の部分には、ガス漏れ警報器Ｇの天井壁部１１及び底壁部の溝部１１ａ（図３参照）に係止される係止片１３ｂが突設されている。ガス漏れ警報器Ｇは、一対の係止部１３を拡開させながら取付板Ｐの挿通孔６ａに挿通される。ガス漏れ警報器Ｇの天井壁部１１及び底壁部の溝部１１ａが、各係止部１３の係止片１３ｂの部分に到達すると、各係止片１３ｂが対応する溝部１１ａに入り込んで係止される。これにより、ガス漏れ警報器Ｇが取付板Ｐから抜け出ることが防止される。なお、図１において、１５は、ガス漏れ警報器Ｇの挿通を容易にするためのガイド部である。
【００２０】
図３の（ａ），（ｂ）に示されるように、一対の係止部１３の先端部は断面Ｌ字状に屈曲されている。このため、取付板Ｐにガス漏れ警報器Ｇが取付けられた状態で、各係止部１３とガス漏れ警報器Ｇの警報器本体部８との間には、隙間１６が形成されている。作業者は、いずれかの隙間１６にドライバ等の工具を差し込んで、天井壁部１１では係止部１３を上方に、底壁部では下方に押し広げることにより、係止片１３ｂと天井壁部１１又は底壁部の各溝部１１ａとの係止状態を解除することができる。これにより、取付板Ｐからガス漏れ警報器Ｇを容易に取り外すことができる。
【００２１】
また、図４の（ａ），（ｂ）及び図５に示されるように、取付板Ｐの周壁部１２における左右方向の一端部には、コンセントＣを支持するためのコンセント支持部１７が設けられている。ここで、本実施例のコンセントＣは略直方体形状であり、その正面部１８（一対の差込孔１８ａが設けられている側）を内方に向けて、コンセント支持部１７に装着される（図５参照）。また、正面視におけるコンセントＣの左右方向（取付板Ｐに取付けられた状態においては上下方向）の両端部には、各止め金具１９（図１参照）が突設されている。
【００２２】
図４の（ｂ）に示されるように、コンセント支持部１７は、上下方向に所定の間隔をおいて周壁部１２から突設された一対の支持板２０，２１と、一対の支持板２０，２１の間に突設された引掛け板２２とを備えている。各支持板２０，２１には、それらの奥行方向に沿って切欠部２０ａと溝部２１ａが相対向して設けられている。また、引掛け板２２の先端部は内方に向って屈曲されていて、当該屈曲部に引掛け片２２ａが形成されている。図４及び図５に示されるように、コンセント支持部１７にコンセントＣが装着される。コンセントＣは、一対の支持板２０，２１に挟み込まれることにより、上下方向に移動することが抑止される。また、コンセントＣの左右方向の両端部に設けられた各止め金具１９が、支持板２０の切欠部２０ａ及び支持板２１の溝部２１ａに入り込むことにより、コンセントＣが左右方向に移動することが抑止される。更に、引掛け部２２の先端部に設けられた引掛け片２２ａが、コンセントＣの背面部に引っ掛けられることにより、コンセントＣが奥行方向に移動することが抑止される。上記した結果、コンセント支持部１７に装着されたコンセントＣは、いずれの方向においても移動不能の状態で保持される。
【００２３】
次に、化粧カバー２３について説明する。図１に示されるように、ガス漏れ警報器Ｇが取付板Ｐに取付けられたあと、枠状の化粧カバー２３が取付けられる。化粧カバー２３には、ガス漏れ警報器Ｇの警報器本体部８を挿通させるための挿通孔２３ａが設けられていて、警報器本体部８に嵌め込まれた化粧カバー２３は、図示しない手段によって取付板Ｐに固定される。これにより、取付板Ｐを固定する各ねじ７の頭部が覆われて、美観が良好になる。
【００２４】
本実施例のガス漏れ警報器Ｇを取付ける場合の作用について説明する。図１及び図３の（ａ）に示されるように、壁Ｗの所定位置に形成された取付孔部１にスイッチボックスＳが埋設される。壁Ｗ内に配線された電源ケーブル３が、スイッチボックスＳの天井壁部２の一方側の通し孔２ａに挿通されて、コンセントＣと接続される。同じく信号ケーブル４が、スイッチボックスＳの天井壁部２の他方側の通し孔２ａに挿通されて、ガス漏れ警報器Ｇと接続される。
【００２５】
続いて、スイッチボックスＳに取付板Ｐが固定される。このとき、コンセントＣは、取付板Ｐに設けられたコンセント支持部１７の一対の支持板２０，２１に挟み込まれると共に、引掛け板２２の引掛け片２２ａに係止されて、移動不能となる。これにより、地震等によってコンセントＣがずれたり、外れたりするおそれはない。取付板Ｐは、取付板本体部６の各ねじ孔６ｂに挿通されたねじ７が、対応するスイッチボックスＳのねじ取付部５に螺合されることによって、スイッチボックスＳに固定される。
【００２６】
次に、ガス漏れ警報器Ｇが取付板Ｐに取付けられる。ガス漏れ警報器Ｇの警報器本体部８から延設された電源プラグ１０は、取付板本体部６の挿通孔６ａを通ってスイッチボックスＳ内に配置され、コンセントＣの一対の差込孔１８ａに差し込まれる。続いて、ガス漏れ警報器Ｇの警報器本体部８が、取付板本体部６の挿通孔６ａに挿通される。ガス漏れ警報器Ｇの警報器本体部８を、そのまま奥行方向に沿って押し込むと、警報器本体部８の天井壁部１１及び底壁部が、一対の係止部１３を弾性変形させながら拡開させる。そして、それらの溝部１１ａが、一対の係止部１３の係止片１３ｂの部分に達すると、一対の係止部１３は弾性復元されて、各係止片１３ｂが、天井壁部１１及び底壁部の溝部１１ａに入り込む。これにより、一対の係止部１３とガス漏れ警報器Ｇの警報器本体部８の溝部１１ａとが相互に係止され、ガス漏れ警報器Ｇは抜け止め状態に保持される。
【００２７】
最後に、化粧カバー２３が、ガス漏れ警報器Ｇの警報器本体部８に嵌め込まれ、図示しない手段により取付板Ｐに固定される。これにより、各ねじ７の頭部が覆われて外部から視認されなくなるため、美観が良好になる。
【００２８】
交換時にガス漏れ警報器Ｇを取り外す場合、化粧カバー２３を取り外す。続いて、各係止部１３とガス漏れ警報器Ｇの警報器本体部８との間に形成された隙間１６に、ドライバ等の工具を差し込み、いずれかの係止部１３を上方又は下方に押し広げる。これにより、一対の係止部１３と警報器本体部８との係止状態が解除され、ガス漏れ警報器Ｇを手前側に引き出して取り外すことができる。そして、コンセントＣから電源プラグ１０が抜き取られる。このため、ガス漏れ警報器Ｇの取外しも容易である。更に、コンセントCが、取付板Ｐのコンセント支持部１７に移動不能に装着されているため、電源プラグ１０の抜差しが容易であると共に、コンセントＣに余分な力をかけることもない。
【００２９】
本発明に係るガス漏れ警報器Ｇの取付構造では、ガス漏れ警報器Ｇの警報器本体部８から延設されたケーブル９及び電源プラグ１１は、いずれもスイッチボックスＳ内に配置され、外部に露出することはない。このため、美観が良好であると共に、ケーブル９を引っ掛けるおそれもない。しかも、ガス漏れ警報器Ｇとして通常のものを使用することができるため、一定期間が経過した後で交換しなければならなくなった場合であっても、そのまま汎用のガス漏れ警報器Ｇと交換するだけで済む。
【図面の簡単な説明】
【００３０】
【図１】本実施例のガス漏れ警報器Ｇの取付構造を示す分解斜視図である。
【図２】壁Ｗに取付けられたガス漏れ警報器Ｇの正面図である。
【図３】（ａ）は図２のＡ−Ａ線断面図であり、（ｂ）はＢ部の拡大図である。
【図４】（ａ）は本実施例の取付板Ｐの正面側から見た斜視図であり、（ｂ）は同じく背面側から見た斜視図である。
【図５】コンセントＣが取付けられた取付板Ｐを、背面側の別方向から見た斜視図である。
【符号の説明】
【００３１】
Ｃ：コンセント
Ｇ：ガス漏れ警報器
Ｐ：取付板
Ｓ：スイッチボックス
Ｗ：壁（被取付面）
１：取付孔部
３：電源ケーブル（配線）
４：信号ケーブル（配線）
８：警報器本体部（ガス漏れ警報器の本体部）
９：ケーブル
１０：電源プラグ
１３：係止部（警報器支持部）
【図１】
0004841306.tif 000002
【図２】
0004841306.tif 000003
【図３】
0004841306.tif 000004
【図４】
0004841306.tif 000005
【図５】
0004841306.tif 000006